(57)【要約】【課題】扉への入力操作を受け付ける構成とされた冷蔵庫であって、扉への入力操作性を向上させると共に、使用者が意図しない入力操作を受け付けないようにすることができる冷蔵庫を提供する。【解決手段】扉への入力操作によって所定のコマンドを実行する構成とされた冷蔵庫は、扉が閉じているときに扉への所定の入力操作に基づいて所定のコマンドを実行する構成とされており、扉が開いているときは、扉への所定の入力操作とは異なる特定の入力操作に基づいて所定のコマンドを実行する。【選択図】図５
2019049366.tif 000002
【特許請求の範囲】
【請求項１】
扉への入力操作によって所定のコマンドを実行する構成とされた冷蔵庫であって、
前記扉が閉じているときに前記扉への所定の入力操作に基づいて前記所定のコマンドを実行する構成とされており、
前記扉が開いているときは、前記扉への前記所定の入力操作とは異なる特定の入力操作に基づいて前記所定のコマンドを実行することを特徴とする冷蔵庫。
【請求項２】
請求項１に記載の冷蔵庫であって、
前記扉が閉じているか前記扉が開いているかの判断は、前記入力操作が開始された時点での前記扉の状態に基づくことを特徴とする冷蔵庫。
【請求項３】
請求項１又は請求項２に記載の冷蔵庫であって、
前記扉が開いているときに前記扉への前記所定の入力操作に対応するコマンドの実行を禁止した状態にして前記扉への前記特定の入力操作を受け付けた場合には該特定の入力操作に対応するコマンドを実行することを特徴とする冷蔵庫。
【請求項４】
請求項１から請求項３までの何れか１つに記載の冷蔵庫であって、
前記扉には、入力操作可能な操作部と、該操作部に対する入力操作を許可するための操作スイッチとが設けられており、
前記扉の開閉状態にかかわらず、前記操作スイッチを反応する状態にするが、前記扉が開いているときに前記操作スイッチに対する前記所定の入力操作に対応するコマンドの実行を禁止した状態にして前記操作スイッチに対する前記特定の入力操作を受け付けた場合には該特定の入力操作に対応するコマンドを実行して前記操作部に対する入力操作を許可することを特徴とする冷蔵庫。
【請求項５】
請求項１から請求項３までの何れか１つに記載の冷蔵庫であって、
前記扉には、入力操作可能な操作部と、該操作部に対する入力操作を許可するための操作スイッチとが設けられており、
前記扉が閉じたときに前記操作スイッチが反応する状態からの前記操作スイッチに対する前記特定の入力操作を受け付けた場合には該特定の入力操作に対応するコマンドを実行して前記操作部に対する入力操作を許可することを特徴とする冷蔵庫。
【請求項６】
請求項１から請求項５までの何れか１つに記載の冷蔵庫であって、
前記扉を開放する扉開放装置を備え、
前記扉には、前記扉開放装置による前記扉の開放を指示する開扉スイッチが設けられており、
前記扉が開いているときに前記開扉スイッチに対する前記所定の入力操作に対応するコマンドの実行を禁止した状態にし、前記扉が閉じたときに前記開扉スイッチに対する前記所定の入力操作とは異なる特定の第１入力操作を受け付けた場合には該特定の第１入力操作に対応するコマンドを実行して前記扉開放装置による開扉動作を実行する一方、前記扉が閉じたときに前記開扉スイッチに対する前記第１入力操作とは異なる特定の第２入力操作を受け付けた場合には前記扉開放装置による開扉動作を禁止することを特徴とする冷蔵庫。
【請求項７】
請求項６に記載の冷蔵庫であって、
前記第１入力操作は、前記扉が閉じたときに前記開扉スイッチに対する入力操作を受け付けた受け付けタイミングから所定の第１時間が経過した以降であって前記第１時間よりも大きい所定の第２時間が経過するまでに該開扉スイッチに対する入力解除操作を受け付ける入力操作を含み、
前記第２入力操作は、前記受け付けタイミングから前記第１時間が経過するまでに該開扉スイッチに対する入力解除操作を受け付ける入力操作と、前記受け付けタイミングから前記第２時間が経過した以降に該開扉スイッチに対する入力解除操作を受け付ける入力操作とを含むことを特徴とする冷蔵庫。
【発明の詳細な説明】
【技術分野】
【０００１】
本発明は、扉への入力操作を受け付ける構成とされた冷蔵庫に関する。
【背景技術】
【０００２】
冷蔵庫として、扉への入力操作（例えば扉に設けられた操作部に対する入力操作）を受け付ける構成とされたものが従来から知られている。このような冷蔵庫では、扉が開いているときに、使用者の身体の一部等が扉に接触するというように、使用者が意図しない扉への入力操作を受け付けてしまうと、例えば、冷蔵庫の温度調節や諸機能の調節等の冷蔵庫の各種設定が変更され、各種制御が意図せずに変わってしまうといった不都合がある。
【０００３】
この点に関し、特許文献１には、扉が開いているときには、扉への入力操作を受け付けないことで、扉が開いているときの冷蔵庫の各種設定の変更を禁止し、各種制御が意図せずに変わってしまうことを防止する冷蔵庫が提案されている。
【０００４】
ところで、使用者が扉を開いて庫内を確認しながら扉への入力操作を行いたい場合がある。例えば、近年では、対話型の冷蔵庫、例えば、ＡＩ（Ａｒｔｉｆｉｃｉａｌ  Ｉｎｔｅｌｌｉｇｅｎｃｅ：人工知能）と、ＩｏＴ（Ｉｎｔｅｒｎｅｔ  ｏｆ  Ｔｈｉｎｇｓ：モノのインターネット）とを組み合わせて食材管理や献立相談等の機能を搭載した冷蔵庫が提案されている。このような冷蔵庫では、例えば、使用者は、扉を開いて庫内（具体的には食材）を確認しながら扉への入力操作を行うことがある。
【先行技術文献】
【特許文献】
【０００５】
【特許文献１】特開２０１１−５８６６２号公報
【発明の概要】
【発明が解決しようとする課題】
【０００６】
しかしながら、特許文献１に記載のような冷蔵庫では、例えば、使用者は、扉を開いて庫内を確認しながら扉への入力操作を行う場合、庫内を確認しながら扉への入力操作を行う毎に扉を閉める必要がある。このため、庫内を確認しながらの扉への入力操作が煩雑になり、従って、扉への入力操作性が悪化する。
【０００７】
そこで、本発明は、扉への入力操作を受け付ける構成とされた冷蔵庫であって、扉への入力操作性を向上させると共に、使用者が意図しない扉への入力操作を受け付けないようにすることができる冷蔵庫を提供することを目的とする。
【課題を解決するための手段】
【０００８】
前記課題を解決するために、本発明に係る冷蔵庫は、扉への入力操作によって所定のコマンドを実行する構成とされた冷蔵庫であって、前記扉が閉じているときに前記扉への所定の入力操作に基づいて前記所定のコマンドを実行する構成とされており、前記扉が開いているときは、前記扉への前記所定の入力操作とは異なる特定の入力操作に基づいて前記所定のコマンドを実行することを特徴とする。
【発明の効果】
【０００９】
本発明によると、扉への入力操作性を向上させると共に、使用者が意図しない扉への入力操作を受け付けないようにすることが可能となる。
【図面の簡単な説明】
【００１０】
【図１】扉に対して有線給電を行う有線給電方式の冷蔵庫の一例の外観を示す概略正面図である。
【図２】扉に対して無線給電を行う無線給電方式の冷蔵庫の一例の外観を示す概略正面図である。
【図３】図１に示す冷蔵庫のシステム構成を示す概略ブロック図である。
【図４】図２に示す冷蔵庫のシステム構成を示す概略ブロック図である。
【図５】本実施の形態に係る制御構成による基本制御動作の流れの一例を示すフローチャートである。
【図６】図１に示す冷蔵庫における操作部に対して入力操作不能な非入力操作画面及び操作スイッチの一例を示す平面図である。
【図７】図１に示す冷蔵庫における操作部に対して入力操作可能な入力操作画面の一例を示す平面図である。
【図８】図１に示す冷蔵庫の第１の実施形態に係る制御構成による制御動作の流れの一例を示すフローチャートである。
【図９】図２に示す冷蔵庫における操作部に対して入力操作不能な非入力操作画面の一例を示す平面図である。
【図１０】図２に示す冷蔵庫の第２の実施形態に係る制御構成による制御動作の流れの一例を示すフローチャートである。
【図１１】図１に示す冷蔵庫の第３の実施形態に係る制御構成による制御タイミングの一例を示すタイミングチャートである。
【図１２】図１に示す冷蔵庫の第３の実施形態に係る制御構成による制御動作の流れの一例を示すフローチャートである。
【図１３】図２に示す冷蔵庫の第３の実施形態に係る制御構成による制御タイミングの一例を示すタイミングチャートである。
【図１４】図２に示す冷蔵庫の第３の実施形態に係る制御構成による制御動作の流れの一例を示すフローチャートである。
【図１５】図１に示す冷蔵庫の第４の実施形態に係るシステム構成を示す概略ブロック図である。
【図１６】図１に示す冷蔵庫の第４の実施形態に係る操作部の開扉画面の一例を示す平面図である。
【図１７】図１に示す冷蔵庫の第４の実施形態に係る制御構成による制御動作の流れの一例を示すフローチャートである。
【発明を実施するための形態】
【００１１】
以下、本発明に係る実施の形態について図面を参照しながら説明する。以下の説明では、同一又は実質的に同一の部品には同一の符号を付してある。それらの名称及び機能も同じである。従って、それらについての詳細な説明は繰り返さない。
【００１２】
［冷蔵庫の全体構成］
先ず、本実施の形態に係る冷蔵庫１ａ，１ｂの全体構成を説明する。図１は、扉に対して有線給電を行う有線給電方式の冷蔵庫１ａの一例の外観を示す概略正面図である。図２は、扉に対して無線給電を行う無線給電方式の冷蔵庫１ｂの一例の外観を示す概略正面図である。
【００１３】
図１及び図２に示すように、冷蔵庫１ａ，１ｂは、上段に第１の冷蔵室２、中段右側に第２の冷蔵室３、下段に第１の冷凍室４、及び、中段左側に第２の冷凍室５を備えている。第２の冷蔵室３には、引き出し式の冷蔵室扉３１が設けられている。第１の冷凍室４及び第２の冷凍室５には、それぞれ、引き出し式の冷凍室扉４１，５１，５２が設けられている。図１に示す冷蔵庫１ａの第１の冷蔵室２には、正面から視て左右に分割された観音開き（いわゆるフレンチドアタイプ）の扉２１（右側の冷蔵室扉２１１及び左側の冷蔵室扉２１２）が設けられている。つまり、２枚の冷蔵室扉２１１，２１２の冷蔵庫本体１ｘへの連結構造は、図示を省略した右側端部及び左側端部のヒンジによって常時連結される構造となっている。これに対し、図２に示す冷蔵庫１ｂの第１の冷蔵室２には、右側支点で左側から開くことも左側支点で右側から開くこともできる単一の扉２１（冷蔵室扉２１３）が設けられている。つまり、単一の冷蔵室扉２１３の冷蔵庫本体１ｘへの連結構造は、冷蔵室扉２１３が何れか片側から開くときにもう片側端部のヒンジに連結される構造となっている。これらの各扉は、図示しないマグネットにより閉じた状態に保持される。
【００１４】
また、冷蔵庫１ａ，１ｂは、冷蔵室扉２１１，２１２，２１３への入力操作（入力操作による指示）によって所定の機能や動作を行うコマンドを実行する構成とされている。この例では、冷蔵室扉２１１，２１２，２１３の所定の箇所をタッチするタッチ入力操作を受け付ける構成とされている。
【００１５】
冷蔵庫１ａ，１ｂの冷蔵室扉２１１，２１３の外面（具体的には前面）には、入力操作可能かつ表示可能な操作部１１０ａ，１１０ｂと、冷蔵室扉２１１，２１２，２１３の所定の箇所への入力操作（この例では冷蔵室扉２１１，２１２，２１３の所定の箇所のタッチ入力操作）を検知する検知スイッチ１２０（この例ではタッチスイッチ）とが設けられている。検知スイッチ１２０は、操作部１１０ａ，１１０ｂに対する入力操作を許可するための操作スイッチ１２１を含んでいる。操作スイッチ１２１は、冷蔵室扉２１１，２１２，２１３の前面の操作部１１０ａ，１１０ｂの近傍（この例では下部）に設けられている。また、冷蔵庫１ａ，１ｂは、冷蔵室扉２１１，２１２，２１３を開放する扉開放装置３０を備えている。検知スイッチ１２０は、扉開放装置３０による冷蔵室扉２１１，２１２，２１３の開放（自動開放）を指示する開扉スイッチ１２２，１２３を含んでいる。扉開放装置３０は、従来公知のものを採用することができ、ここでは詳しい説明を省略する。開扉スイッチ１２２，１２３は、冷蔵室扉２１１，２１２，２１３の引き手部の近傍に設けられている。冷蔵庫１ａでは、使用者により右側の開扉スイッチ１２２又は左側の開扉スイッチ１２３が入力操作されると扉開放装置３０により右側の冷蔵室扉２１１を左側開きで又は左側の冷蔵室扉２１２を右側開きで自動的に開放する。また、冷蔵庫１ｂでは、使用者により右側の開扉スイッチ１２２又は左側の開扉スイッチ１２３が入力操作されると扉開放装置３０により冷蔵室扉２１３を右側開き又は左側開きで自動的に開放する。
【００１６】
冷蔵庫１ａ，１ｂは、冷蔵室扉２１１，２１２，２１３の開閉を検出可能な構成とされている。詳しくは、冷蔵庫１ａは、冷蔵室扉２１１，２１２の開閉を検知する扉開閉検知部として作用する扉開閉検知スイッチ１３１，１３２を備えている。冷蔵庫１ｂは、冷蔵室扉２１３の開閉を検知する扉開閉検知部として作用する扉開閉検知スイッチ１３３，１３４を備えている。扉開閉検知スイッチ１３１，１３２，１３３，１３４は、例えば、磁石感応型のリードスイッチを挙げることができ、冷蔵室扉２１１，２１２，２１３に設けられた磁石（図示せず）の磁力の接近により、内部の接点を閉に変更することができる。なお、扉開閉検知部はリードスイッチに限定されるものではなく、光学式センサ等の他の構成のものを用いても良い。
【００１７】
＜有線給電方式の冷蔵庫＞
図１に示す有線給電方式の冷蔵庫１ａは、冷蔵庫本体１ｘから冷蔵室扉２１１，２１２へ有線により直接給電する構成とされている。詳しくは、冷蔵庫本体１ｘから冷蔵室扉２１１，２１２への給電は、図示を省略した電力ケーブルにより行われる。冷蔵庫本体１ｘと冷蔵室扉２１１，２１２とは、電力ケーブルにより電気的に接続されている。これにより、冷蔵庫１ａは、冷蔵庫本体１ｘから、冷蔵室扉２１１における操作部１１０ａ、操作スイッチ１２１及び開扉スイッチ１２２、並びに、冷蔵室扉２１２における開扉スイッチ１２３に電力を供給することができる。また、冷蔵庫１ａは、冷蔵庫本体１ｘと冷蔵室扉２１１，２１２との間で有線により通信する構成とされている。詳しくは、冷蔵庫本体１ｘと冷蔵室扉２１１，２１２との有線通信は、図示を省略した信号ケーブルにより行われる。冷蔵庫本体１ｘと冷蔵室扉２１１，２１２とは、信号ケーブルにより電気的に接続されている。これにより、冷蔵庫１ａは、冷蔵庫本体１ｘにおける制御部２０ａと、冷蔵室扉２１１における操作部１１０ａ、操作スイッチ１２１及び開扉スイッチ１２２、並びに、冷蔵室扉２１２における開扉スイッチ１２３との間で情報交換を行うことができる。
【００１８】
本実施形態では、電力ケーブル及び信号ケーブルは、冷蔵室扉２１１の右側端部及び冷蔵室扉２１２の左側端部のヒンジ内を通して、冷蔵室扉２１１，２１２と冷蔵庫本体１ｘとを電気的に接続する。
【００１９】
＜無線給電方式の冷蔵庫＞
図２に示す無線給電方式の冷蔵庫１ｂは、冷蔵庫本体１ｘから冷蔵室扉２１３へ無線により無接点給電する構成とされている。詳しくは、冷蔵庫本体１ｘから冷蔵室扉２１３への給電は、無接点給電装置３１０により行われる。無接点給電装置３１０は、冷蔵庫本体１ｘ側に設けられた送電部３１１と、冷蔵室扉２１３側に設けられた受電部３１２とからなる。これにより、冷蔵庫１ｂは、冷蔵庫本体１ｘから、冷蔵室扉２１３における操作部１１０ｂ、操作スイッチ１２１及び開扉スイッチ１２２，１２３に電力を供給することができる。なお、無接点給電装置３１０は、例えば、低電力向けＱｉ規格などの電磁誘導式や磁界共鳴式等の無線給電といった従来公知のものを採用でき、ここでは詳しい説明を省略する。また、冷蔵庫１ｂは、冷蔵庫本体１ｘと冷蔵室扉２１３との間で無線により通信する構成とされている。詳しくは、冷蔵庫本体１ｘと冷蔵室扉２１３との無線通信は、無線通信装置３２０により行われる。無線通信装置３２０は、冷蔵庫本体１ｘ側に設けられた本体側通信部３２１と、冷蔵室扉２１３側に設けられた扉側通信部３２２とからなる。これにより、冷蔵庫１ｂは、冷蔵庫本体１ｘにおける制御部２０ｂと、冷蔵室扉２１３における操作部１１０ｂ、操作スイッチ１２１及び開扉スイッチ１２２，１２３との間で情報交換を行うことができる。なお、無線通信装置３２０は、例えば、ＩｒＤＡの赤外線通信やＩＥＥＥ８０２．１１規格の無線ＬＡＮ通信等の無線通信といった従来公知のものを採用でき、ここでは説明を省略する。
【００２０】
無接点給電装置３１０及び無線通信装置３２０は、冷蔵室扉２１３が閉じているときに給電及び通信が可能となるように配設されている。なお、無線通信装置３２０を無接点給電装置３１０と同じ位置に配してもよく、また、無線通信装置３２０が無接点給電装置３１０に含まれていてもよい。
【００２１】
［制御部の制御構成］
図３及び図４は、それぞれ、図１及び図２に示す冷蔵庫１ａ，１ｂのシステム構成を示す概略ブロック図である。冷蔵庫１ａ，１ｂは、制御部２０ａ，２０ｂをさらに備えている。制御部２０ａ，２０ｂは、冷蔵庫本体１ｘに設けられており、冷蔵庫１ａ，１ｂ全体の制御を司る。制御部２０ａ，２０ｂは、ＣＰＵ等のマイクロコンピュータからなる処理部２１ａ，２１ｂと、ＲＯＭ等の不揮発性メモリ、ＲＡＭ等の揮発性メモリを含む記憶部２２ａ，２２ｂとを有している。
【００２２】
操作部１１０ａ，１１０ｂは、操作表示部として作用する入力操作可能な表示部１１１（具体的にはタッチ入力操作可能な表示液晶タッチパネル）を備えている。すなわち、操作部１１０ａ，１１０ｂは、表示を行うと共に使用者による入力操作を受け付けるようになっている。操作スイッチ１２１は、操作部１１０ａ，１１０ｂが使用者により入力操作可能な状態になるように（具体的には液晶タッチパネルを点灯してタッチ入力操作可能な状態になるように）指示する。操作スイッチ１２１及び開扉スイッチ１２２，１２３は、この例では、静電センサとされている。操作スイッチ１２１及び開扉スイッチ１２２，１２３は、タッチ面が扉表面（前面）に対して段差のない平坦な形状とされている。扉開閉検知スイッチ１３１，１３２，１３３，１３４は、制御部２０ａ，２０ｂの入力系に電気的に接続されている。これにより、制御部２０ａ，２０ｂは、冷蔵室扉２１１，２１２，２１３の開閉を検出することができる。
【００２３】
また、制御部２０ａ，２０ｂは、冷蔵室扉２１１，２１２，２１３が開いているときに冷蔵室扉２１１，２１２，２１３への所定の入力操作（具体的には一般的なタッチ入力操作）に基づいて所定のコマンドを実行する構成とされている。
【００２４】
そして、制御部２０ａ，２０ｂは、冷蔵室扉２１１，２１２，２１３が開いているときは、冷蔵室扉２１１，２１２，２１３への所定の入力操作とは異なる特定の入力操作（この例では特定のタッチ入力操作）に基づいて所定のコマンドを実行する。ここで、「特定の入力操作」とは、使用者が意図しない冷蔵室扉２１１，２１２，２１３への入力操作によるコマンドの実行を防止するための特殊な入力操作をいう。「特定の入力操作」としては、例えば、それには限定されないが、代表的には、操作スイッチや開扉スイッチ等のスイッチに対して所定時間を超えて長押しする入力操作や、２つ以上の操作スイッチや開扉スイッチ等のスイッチを同時に押す入力操作を挙げるこことができる。
【００２５】
本実施の形態によれば、制御部２０ａ，２０ｂは、冷蔵室扉２１１，２１２，２１３が閉じているときは、冷蔵室扉２１１，２１２，２１３への所定の入力操作に基づいて所定のコマンドを実行することができる。そして、冷蔵室扉２１１，２１２，２１３が開いているときに冷蔵室扉２１１，２１２，２１３への特定の入力操作がなされない限り、所定の機能を実行しない。これにより、冷蔵室扉２１１，２１２，２１３が開いているときに使用者が意図しない冷蔵室扉２１１，２１２，２１３への入力操作によってコマンドが実行されることを回避することができる。一方、制御部２０ａ，２０ｂは、冷蔵室扉２１１，２１２，２１３が開いているときに冷蔵室扉２１１，２１２，２１３への特定の入力操作がなされると、所定のコマンドを実行する。これにより、冷蔵室扉２１１，２１２，２１３への入力操作性を向上させることができる。例えば、使用者は、冷蔵室扉２１１，２１２，２１３を開いて庫内（具体的には食材）を確認しながら冷蔵室扉２１１，２１２，２１３への入力操作を行う場合、庫内を確認しながら冷蔵室扉２１１，２１２，２１３への入力操作を行う毎に冷蔵室扉２１１，２１２，２１３を閉める必要がない。このため、庫内を確認しながらの冷蔵室扉２１１，２１２，２１３への入力操作の簡素化を実現させることができる。しかも、使用者への利便性を向上させることができる。
【００２６】
本実施の形態において、制御部２０ａ，２０ｂは、冷蔵室扉２１１，２１２，２１３の開閉状態にかかわらず、冷蔵室扉２１１，２１２，２１３への入力操作の受け付けを可能な状態にするが、冷蔵室扉２１１，２１２，２１３が開いているときに冷蔵室扉２１１，２１２，２１３への所定の入力操作に対応するコマンドの実行を禁止した状態にして冷蔵室扉２１１，２１２，２１３への特定の入力操作を受け付けた場合には該特定の入力操作に対応するコマンドを実行する。また、冷蔵室扉２１１，２１２，２１３が閉じているときは冷蔵室扉２１１，２１２，２１３への所定の入力操作に対応するコマンドの実行を許可する。これにより、冷蔵室扉２１１，２１２，２１３が閉じているときは、特定の入力操作ではない一般的な操作である所定の操作によってコマンドが実行される。こうすることで、冷蔵室扉２１１，２１２，２１３が開いているときに使用者が意図しない冷蔵室扉２１１，２１２，２１への入力操作（この例ではタッチ入力操作）によってコマンドが実行されることを回避することができると共に、冷蔵室扉２１１，２１２，２１３への入力操作性を向上させることができる。
【００２７】
上記の様に、冷蔵室扉２１１，２１２，２１３への入力操作に対し、冷蔵室扉２１１，２１２，２１３が開いているときと閉じているときで、コマンドの実行を許可する入力操作が異なるが、冷蔵室扉２１１，２１２，２１３が開いているか閉じているかの判断は、冷蔵室扉２１１，２１２，２１３への入力操作が有った時点での扉の状態とすることが好ましい。本実施形態での具体例としては、操作スイッチ１２１及び開扉スイッチ１２２，１２３の静電センサがタッチ状態を検出しはじめた時が扉の状態の判断時点とする。これにより、操作スイッチ１２１及び開扉スイッチ１２２，１２３にタッチしたまま冷蔵室扉２１１，２１２，２１３を閉じた場合であっても、操作スイッチ１２１及び開扉スイッチ１２２，１２３へのタッチ開始時点では扉は開いているため、特定の入力操作以外でのコマンドの実行を禁止する。従って、使用者が意図せずに操作部に触れたまま冷蔵庫扉を閉めたとしても、扉が閉まったと同時にコマンドが実行されることを防止できる。
【００２８】
ここで、「入力操作の受け付けを可能な状態にする」とは、冷蔵室扉２１１，２１２，２１３が開いているときに制御部２０ａ，２０ｂが冷蔵室扉２１１，２１２，２１３への入力操作を必ず受け付ける状態にする（例えばスイッチを必ず反応する状態にする）構成になっていることを意味する。例えば、有線給電方式の冷蔵庫１ａでは、冷蔵庫本体１ｘから冷蔵室扉２１１，２１２へ有線により直接給電するので、冷蔵室扉２１１，２１２の開閉に関わらず冷蔵庫本体１ｘから冷蔵室扉２１１，２１２へ常時給電する。従って、制御部２０ａは、冷蔵室扉２１１，２１２が開いているときでも冷蔵室扉２１１，２１２への入力操作の受け付けを可能な状態にすることができる。また、無線給電方式の冷蔵庫１ｂでは、無線により無接点給電するので、冷蔵室扉２１３が閉じて給電可能範囲内及び無線通信範囲内にあるとき、及び、冷蔵室扉２１３が若干開いていても給電可能範囲内及び無線通信範囲内にあるときには、冷蔵庫本体１ｘから冷蔵室扉２１３へ給電及び通信する。一方、冷蔵室扉２１３が開いて給電可能範囲から逸脱しているときには冷蔵庫本体１ｘから冷蔵室扉２１３への給電が強制的に遮断される。しかし、冷蔵室扉２１３が開いていても給電可能範囲内及び無線通信範囲内に入ると、直ちに冷蔵庫本体１ｘから冷蔵室扉２１３に対する給電及び通信を開始する。従って、制御部２０ｂは、冷蔵室扉２１３が開いているときでも冷蔵室扉２１３への入力操作の受け付けを可能な状態にすることができる。また、「所定の入力操作に対応するコマンドの実行を禁止する」とは、例えば、有線給電方式の冷蔵庫１ａでは、制御部２０ａは、冷蔵室扉２１１，２１２が開いているときに冷蔵室扉２１１，２１２への所定の入力操作に対応するコマンドの実行を禁止し、無線給電方式の冷蔵庫１ｂでは、制御部２０ｂは、冷蔵室扉２１３が開いていて給電可能範囲から逸脱しているときには給電の遮断により冷蔵室扉２１３への入力操作の受け付けが不可能であり、結果的に所定の入力操作に対応するコマンドの実行が禁止されるが、冷蔵室扉２１３が開いていて給電可能範囲内及び無線通信範囲内にあるときでも冷蔵室扉２１３への所定の入力操作に対応するコマンドの実行を禁止することを意味する。
【００２９】
図５は、本実施の形態に係る制御構成による基本制御動作の流れの一例を示すフローチャートである。図５に示すように、制御部２０ａ，２０ｂは、先ず、冷蔵室扉２１１，２１２，２１３が開いているか否かを判断し（Ｓ１）、冷蔵室扉２１１，２１２，２１３が開いていると判断した場合には（Ｓ１：Ｙｅｓ）、特定のタッチ入力操作を受け付けたか否かを判断し（Ｓ２）、特定のタッチ入力操作を受け付けていない場合には（Ｓ２：Ｎｏ）、処理を終了する一方、特定のタッチ入力操作を受け付けた場合には（Ｓ２：Ｙｅｓ）、タッチ入力操作に対応するコマンドを実行する（Ｓ３）。また、制御部２０ａ，２０ｂは、冷蔵室扉２１１，２１２，２１３が閉じていると判断した場合には（Ｓ１：Ｎｏ）、タッチ入力操作に対応するコマンドを実行する（Ｓ３）。
【００３０】
＜第１の実施形態＞
図６は、図１に示す冷蔵庫１ａにおける操作部１１０ａに対して入力操作不能な非入力操作画面Ｇ１ａ及び操作スイッチ１２１の一例を示す平面図である。図７は、図１に示す冷蔵庫１ａにおける操作部１１０ａに対して入力操作可能な入力操作画面Ｇ２の一例を示す平面図である。
【００３１】
ところで、図１に示す冷蔵庫１ａにおいて、冷蔵室扉２１１が開いているときには、使用者が意図しない操作部１１０ａへの入力操作を受け付けてしまうことで、例えば、冷蔵庫１ａの温度調節や諸機能の調節等の冷蔵庫１ａの各種設定が変更され、各種制御が意図せずに変わってしまうといった不都合を回避する観点から、冷蔵室扉２１１が開いているときには、操作部１１０ａへの入力操作（この例では各種設定）を禁止することが好ましい。その一方で、使用者は、冷蔵室扉２１１が開いているときに操作部１１０ａへの入力操作を行いたいこともある。
【００３２】
この点、図１に示す冷蔵庫１ａでは、制御部２０ａは、冷蔵室扉２１１の開閉状態にかかわらず、操作スイッチ１２１（例えばホームキー）を反応する状態にするが、冷蔵室扉２１１が開いているときに操作部１１０ａには図６に示す非入力操作画面Ｇ１ａを表示して操作スイッチ１２１に対する所定の入力操作に対応するコマンドの実行を禁止した状態にする。制御部２０ａは、操作スイッチ１２１に対する特定の入力操作（この例では長押し操作）を受け付けた場合には該特定の入力操作に対応するコマンドを実行して操作部１１０ａに非入力操作画面Ｇ１ａに代えて図７に示す入力操作画面Ｇ２を表示し、操作部１１０ａに対する入力操作を許可する。こうすることで、制御部２０ａは、冷蔵室扉２１１が開いているときは、操作スイッチ１２１に対する特定の入力操作がなされない限り、操作部１１０ａには非入力操作画面Ｇ１ａを表示して操作スイッチ１２１に対する所定の入力操作に対応するコマンドの実行を禁止し、操作部１１０ａに対する入力操作を禁止する。これにより、冷蔵室扉２１１が開いているときに使用者が意図しないで操作部１１０ａや操作スイッチ１２１に対して入力操作を行っても入力操作が許可されないため、冷蔵庫１ａの各種設定が変更され、各種制御が意図せずに変わってしまうことを回避することができる。一方、制御部２０ａは、冷蔵室扉２１１が開いているときに操作スイッチ１２１に対する特定の入力操作がなされると、該特定の入力操作に対応するコマンドを実行して操作部１１０ａに入力操作画面Ｇ２を表示し、操作部１１０ａに対する入力操作を許可する。例えば、冷蔵室扉２１１が閉じているときと同じ機能を提供することができる。これにより、冷蔵室扉２１１が開いているときでも操作部１１０ａに対する入力操作を行うことができる。従って、冷蔵室扉２１１への入力操作性を向上させることができる。このように、冷蔵室扉２１１が開いているときにも、操作スイッチ１２１に対する特定の入力操作に対応するコマンドの実行により操作部１１０ａに対する入力操作を許可することから、例えば、冷蔵室扉２１１が開いているときに在庫管理などの機能を使用者に対してより手軽に提供することが可能となる。
【００３３】
図８は、図１に示す冷蔵庫１ａの第１の実施形態に係る制御構成による制御動作の流れの一例を示すフローチャートである。図８に示す制御例では、制御部２０ａは、冷蔵室扉２１１が開いているときに（Ｓ１００）、操作部１１０ａに図６に示す非入力操作画面Ｇ１ａを表示し（Ｓ１０１）、使用者により操作スイッチ１２１に対して長押し操作されたか否かを判断する（Ｓ１０２）。制御部２０ａは、長押し操作されていないと判断した場合には（Ｓ１０２：Ｎｏ）、Ｓ１０１に移行する一方、長押し操作されたと判断した場合には（Ｓ１０２：Ｙｅｓ）、操作部１１０ａに図７に示す入力操作画面Ｇ２を表示する（Ｓ１０３）。
【００３４】
＜第２の実施形態＞
図９は、図２に示す冷蔵庫１ｂにおける操作部１１０ｂに対して入力操作不能な非入力操作画面Ｇ１ｂの一例を示す平面図である。なお、冷蔵庫１ｂにおいても図６と同様に操作部１１０ｂ対する入力操作を許可するための操作スイッチ１２１を有している。図２に示す冷蔵庫１ｂでは、制御部２０ｂは、冷蔵室扉２１３が閉じているときに、操作部１１０ｂに図９に示す非入力操作画面Ｇ１ｂを表示し、操作スイッチ１２１を反応する状態にし、操作スイッチ１２１に対する所定の入力操作（通常の単純なタッチ入力操作）を受け付けると、操作部１１０ｂに図７に示す入力操作画面Ｇ２を表示する。これにより、使用者は操作部１１０ｂの入力操作画面Ｇ２に対して入力操作（この例では各種設定）を行うことができる。
【００３５】
ところで、図２に示す冷蔵庫１ｂにおいて、使用者は、冷蔵室扉２１３を閉じたときに操作部１１０ｂに対してすぐ入力操作を行いたいこともある。
【００３６】
この点、図２に示す冷蔵庫１ｂでは、制御部２０ｂは、冷蔵室扉２１３の開閉状態にかかわらず、操作スイッチ１２１（例えばホームキー）を反応する状態にするが、冷蔵室扉２１３が開いているときには操作部１１０ｂ及び操作スイッチ１２１に対して給電がされず、制御部２０ｂは、必然的に操作部１１０ｂに何も表示しない。従って、制御部２０ｂは、操作部１１０ｂの図７に示す入力操作画面Ｇ２に対する入力操作（この例では各種設定）が実質的に禁止状態になっている。しかし、このとき、制御部２０ｂは、操作スイッチ１２１に対して給電がされると直ぐに操作スイッチ１２１を反応する状態にしている。つまり、制御部２０ｂは、操作スイッチ１２１に対して給電及び通信が開始して起動すれば操作スイッチ１２１が直ぐに反応する状態になるようになっている。冷蔵室扉２１３が閉じたときに操作部１１０ａ及び操作スイッチ１２１に対して給電し起動すると、制御部２０ｂは、操作スイッチ１２１が反応する状態からの操作スイッチ１２１に対する特定の入力操作（この例では開扉時から続けて閉扉時でも行っているタッチ入力操作）を受け付けた場合には該特定の入力操作に対応するコマンドを実行して操作部１１０ｂに図９に示す非入力操作画面Ｇ１ｂに代えて図７に示す入力操作画面Ｇ２を表示し、操作部１１０ｂに対する入力操作を許可する。こうすることで、制御部２０ｂは、冷蔵室扉２１３が開いているときは、操作部１１０ｂ及び操作スイッチ１２１に対して給電がされていないことから操作部１１０ｂに対する入力操作が不能となる。これにより、冷蔵室扉２１３が開いているときに使用者が意図しない操作部１１０ｂへの入力操作を回避することができる。一方、制御部２０ｂは、操作スイッチ１２１が反応する状態からの操作スイッチ１２１に対する特定の入力操作がなされると、該特定の入力操作に対応するコマンドを実行して操作部１１０ｂに入力操作画面Ｇ２を表示し、操作部１１０ｂに対する入力操作を許可する。これにより、冷蔵室扉２１３を閉じたときに操作部１１０ｂに対して改めて入力操作を行うことなくすぐ入力操作を行うことができる。従って、冷蔵室扉２１３への入力操作性を向上させることができる。
【００３７】
図１０は、図２に示す冷蔵庫１ｂの第２の実施形態に係る制御構成による制御動作の流れの一例を示すフローチャートである。図１０に示す制御例では、冷蔵室扉２１３が開いているときには（Ｓ２００）、操作部１１０ｂ及び操作スイッチ１２１に対して給電がされておらず、操作部１１０ｂには何も表示されない（Ｓ２０１）。このとき、使用者により冷蔵室扉２１３が閉操作されることで冷蔵室扉２１３が給電可能範囲内及び無線通信範囲内に入ると、操作部１１０ｂ及び操作スイッチ１２１に対する給電及び通信を開始する（Ｓ２０２）。そうすると、制御部２０ｂは、操作部１１０ｂ及び操作スイッチ１２１に対して給電及び通信を開始して起動する（Ｓ２０３）。そして、制御部２０ｂは、操作スイッチ１２１に対してタッチ入力操作がなされていたか否かを判断する（Ｓ２０４）。かくして、冷蔵室扉２１３が使用者により閉じられて操作スイッチ１２１が起動して反応する状態となった時点で、制御部２０ｂが、タッチ入力操作がなされていたと判断した場合には（Ｓ２０４：Ｙｅｓ）、操作スイッチ１２１に対して特定のタッチ入力操作（例えば長押し操作）がなされていたか否かを判断する（Ｓ２０５）。制御部２０ｂは、操作スイッチ１２１に対して特定のタッチ入力操作がなされていたと判断した場合には（Ｓ２０５：Ｙｅｓ）、該特定のタッチ入力操作に対応するコマンドを実行して操作部１１０ｂに図７に示す入力操作画面Ｇ２を表示し（Ｓ２０６）、操作スイッチ１２１に対して特定のタッチ入力操作がなされていないと判断した場合には（Ｓ２０５：Ｎｏ）、操作部１１０ｂに図９に示す非入力操作画面Ｇ１ｂを表示する（Ｓ２０８）。一方、制御部２０ｂは、操作スイッチ１２１が起動して反応する状態となった時点でタッチ入力操作がなされていないと判断した場合には（Ｓ２０４：Ｎｏ）、操作スイッチ１２１が起動した後に操作スイッチ１２１に対してタッチ入力操作がなされたか否かを判断する（Ｓ２０７）。制御部２０ｂは、操作スイッチ１２１が起動した後に操作スイッチ１２１に対してタッチ入力操作がなされたと判断した場合には（Ｓ２０７：Ｙｅｓ）、該タッチ入力操作に対応するコマンドを実行して操作部１１０ｂに図７に示す入力操作画面Ｇ２を表示し（Ｓ２０６）、操作スイッチ１２１が起動した後に操作スイッチ１２１に対してタッチ入力操作がなされていないと判断した場合には（Ｓ２０７：Ｎｏ）、操作部１１０ｂに図９に示す非入力操作画面Ｇ１ｂを表示する（Ｓ２０８）。
【００３８】
＜第３の実施形態＞
ところで、図１及び図２に示す冷蔵庫１ａ，１ｂでは、冷蔵室扉２１１，２１２，２１３が開いているときには、冷蔵室扉２１１，２１２，２１３の開扉動作を行っても意味がないため、開扉動作を禁止することが好ましい。また、使用者は、冷蔵室扉２１１，２１２，２１３を閉じる意思を持って閉じたものの考え直して冷蔵室扉２１１，２１２，２１３を閉じた後にすぐ開けたいこともある。
【００３９】
この点、制御部２０ａ，２０ｂは、冷蔵室扉２１１，２１２，２１３の開閉状態にかかわらず、開扉スイッチ１２２，１２３を反応する状態にするが、冷蔵室扉２１１，２１２，２１３が開いているときに開扉スイッチ１２２，１２３に対する所定の入力操作に対応するコマンドの実行を禁止した状態にする。一方で、制御部２０ａ，２０ｂは、冷蔵室扉２１１，２１２，２１３が閉じたときには、開扉スイッチ１２２，１２３に対する所定の入力操作に対応するコマンドの実行を許可する。そして、冷蔵室扉２１１，２１２，２１３が開いた状態から閉じられたときに開扉スイッチ１２２，１２３に対する所定の入力操作とは異なる特定の第１入力操作を受け付けた場合には該特定の第１入力操作に対応するコマンドを実行して扉開放装置３０による開扉動作を実行する。一方、制御部２０ａ，２０ｂは、冷蔵室扉２１１，２１２，２１３が開いた状態から閉じられたときに開扉スイッチ１２２，１２３に対する第１入力操作とは異なる特定の第２入力操作を受け付けた場合には扉開放装置３０による開扉動作を禁止する。こうすることで、制御部２０ａ，２０は、冷蔵室扉２１１，２１２，２１３が開いた状態から閉じられたときは、開扉スイッチ１２２，１２３に対する特定の第１入力操作がなされない限り、扉開放装置３０による開扉動作を禁止する。これにより、使用者が意図しないで開扉スイッチ１２２，１２３に触れながら冷蔵室扉２１１，２１２，２１３を閉めた場合であっても扉開放装置３０による開扉動作を行ってしまうことを回避することができる。一方、制御部２０ａ，２０ｂは、開扉スイッチ１２２，１２３に対する特定の第１入力操作がなされると、該特定の第１入力操作に対応するコマンドを実行して扉開放装置３０による開扉動作を実行する。これにより、使用者は、冷蔵室扉２１１，２１２，２１３を閉じる意思を持って閉じたものの考え直して冷蔵室扉２１１，２１２，２１３を閉じた後にすぐ開けることができる。従って、冷蔵室扉２１１，２１２，２１３への入力操作性を向上させることができる。また、制御部２０ａ，２０ｂは、冷蔵室扉２１１，２１２，２１３が開いているときに開扉スイッチ１２２，１２３に対する特定の第２入力操作がなされると、扉開放装置３０による開扉動作を禁止する。これにより、冷蔵室扉２１１，２１２，２１３が閉じたときに使用者が意図しないで扉開放装置３０による開扉動作を行ってしまうことを回避することができる。
【００４０】
また、制御部２０ａ，２０ｂは、扉開放装置３０による開扉動作を禁止した場合には、その旨を報知（例えば音及び／又は光により通知）する。例えば、音による通知としては、ピーやピーピーといった１又は２以上の単一周波音の報知音や、音声による説明を挙げることができ、光による通知としては、ＬＥＤ等の発光素子の色分け、点灯及び点滅或いはこれらの組み合わせを挙げることができる。
【００４１】
ところで、使用者は、開扉スイッチ１２２，１２３を意図せずに（開扉動作の意思を持たずに）入力操作（具体的にはオン）した場合には、比較的短い時間（例えば５秒程度）が経過する前に開扉スイッチ１２２，１２３に対する入力解除操作（具体的にオフ）することが考えられる。或いは、使用者が冷蔵室扉２１１，２１２，２１３にもたれるといったように使用者の身体の一部等が開扉スイッチ１２２，１２３に接触して開扉スイッチ１２２，１２３を意図せずに（無意識に）オンしている場合には、比較的長い時間（例えば１０秒程度）が経過してから開扉スイッチ１２２，１２３から離れて開扉スイッチ１２２，１２３をオフすることが考えられる。従って、開扉スイッチ１２２，１２３を意図してオンした場合には、比較的短い時間（例えば５秒程度）と比較的長い時間（例えば１０秒程度）との間で開扉スイッチ１２２，１２３をオフすることが考えられる。
【００４２】
（有線給電方式の冷蔵庫の場合）
図１１は、図１に示す冷蔵庫１ａの第３の実施形態に係る制御構成による制御タイミングの一例を示すタイミングチャートである。図１１に示すように、第１入力操作Ｐ１は、冷蔵室扉２１１，２１２が閉じて制御部２０ａが扉開閉検知スイッチ１３１，１３２による閉扉（ＯＦＦ→ＯＮ）を検出したときに、開扉スイッチ１２２，１２３に対する入力操作（オン）を受け付けた受け付けタイミングＲから所定の第１時間Ｔ１（Ｔ１ａ）（例えば５秒）が経過した以降であって第１時間Ｔ１（Ｔ１ａ）よりも大きい所定の第２時間Ｔ２（Ｔ２ａ）（例えば１０秒）が経過するまでに開扉スイッチ１２２，１２３に対する入力解除操作（オフ）を受け付ける入力操作（第２パターン参照）を含む。第２入力操作Ｐ２は、受け付けタイミングＲから第１時間Ｔ１が経過するまでに開扉スイッチ１２２，１２３のオフを受け付ける入力操作Ｐ２１（第１パターン参照）と、受け付けタイミングＲから第２時間Ｔ２（Ｔ２ａ）が経過した以降に開扉スイッチ１２２，１２３のオフを受け付ける入力操作Ｐ２２（第３パターン参照）とを含む。こうすることで、使用者が開扉スイッチ１２２，１２３を意図せずにオンした場合と使用者が開扉スイッチ１２２，１２３を意図してオンした場合とを時間で場合分けすることができ、これにより、使用者が開扉スイッチ１２２，１２３を意図せずにオンした場合と使用者が開扉スイッチ１２２，１２３を意図してオンした場合とを検出するための制御構成を簡素化させることができる。
【００４３】
図１２は、図１に示す冷蔵庫１ａの第３の実施形態に係る制御構成による制御動作の流れの一例を示すフローチャートである。図１２に示す制御例では、制御部２０ａは、冷蔵室扉２１１，２１２が開いているときに（Ｓ３００）、開扉スイッチ１２２，１２３に対する所定のタッチ入力操作に対応するコマンドの実行を禁止し（Ｓ３０１ａ）、扉開閉検知スイッチ１３１，１３２による閉扉を検出するまでＳ３０１ａ〜Ｓ３０２ａの処理を繰り返す（Ｓ３０２ａ：Ｎｏ）。このとき、使用者により冷蔵室扉２１１，２１２が閉操作されることで、制御部２０ａは、扉開閉検知スイッチ１３１，１３２による閉扉を検出すると（Ｓ３０２ａ：Ｙｅｓ）、開扉スイッチ１２２，１２３に対するタッチ入力操作を受け付けているか否かを判断する（Ｓ３０３）。かくして、冷蔵室扉２１３が使用者により閉じられる。制御部２０ａは、扉開閉検知スイッチ１３１，１３２による閉扉の検出時に開扉スイッチ１２２，１２３に対するタッチ入力操作を受け付けたと判断した場合には（Ｓ３０３：Ｙｅｓ）、Ｓ３０４に移行する一方、開扉スイッチ１２２，１２３に対するタッチ入力操作を受け付けていないと判断した場合には（Ｓ３０３：Ｎｏ）、処理を終了する。制御部２０ａは、扉開閉検知スイッチ１３１，１３２による閉扉を検出してから第１時間Ｔ１（Ｔ１ａ）が経過した以降に開扉スイッチ１２２，１２３に対するタッチ入力解除操作を受け付けたと判断した場合であって（Ｓ３０４：Ｙｅｓ）、第２時間Ｔ２（Ｔ２ａ）が経過するまでに開扉スイッチ１２２，１２３に対するタッチ入力解除操作を受け付けたと判断した場合には（Ｓ３０５：Ｙｅｓ）、第１入力操作Ｐ１として、扉開放装置３０による開扉動作を許可する旨を報知音（例えばピー音）により報知し（Ｓ３０６）、第１入力操作Ｐ１に対応するコマンドを実行して扉開放装置３０による開扉動作を実行する（Ｓ３０７）。また、制御部２０ａは、第１時間Ｔ１（Ｔ１ａ）が経過するまでに開扉スイッチ１２２，１２３に対するタッチ入力解除操作を受け付けたと判断した場合（Ｓ３０４：Ｎｏ）、又は、第２時間Ｔ２（Ｔ２ａ）が経過した以降に開扉スイッチ１２２，１２３に対するタッチ入力解除操作を受け付けたと判断した場合には（Ｓ３０５：Ｎｏ）、第２入力操作Ｐ２として、扉開放装置３０による開扉動作を禁止する旨を報知音（例えばピーピー音）により報知し（Ｓ３０８）、扉開放装置３０による開扉動作を禁止して（Ｓ３０９）処理を終了する。なお、図１２に示す処理例は、冷蔵室扉２１１，２１２が開いているときに開扉スイッチ１２２，１２３に対するタッチ入力操作があった場合の処理であり、上記処理終了後は冷蔵室扉２１１，２１２が閉じた状態であるため、冷蔵室扉２１１，２１２が閉じた状態で開扉スイッチ１２２，１２３に対するタッチ入力操作があった場合の処理が別途実行される。
【００４４】
（無線給電方式の冷蔵庫の場合）
図１３は、図２に示す冷蔵庫１ｂの第３の実施形態に係る制御構成による制御タイミングの一例を示すタイミングチャートである。図１３において、符号Ｑは開扉スイッチ１２２，１２３に対する給電を開始した給電開始タイミングを示している。符号Ｔｓは開扉スイッチ１２２，１２３が給電開始タイミングＱから起動するまでの起動時間を示している。また、符号Ｔｄは制御部２０ｂが扉開閉検知スイッチ１３３，１３４による閉扉（ＯＦＦ→ＯＮ）を検出したときに開扉スイッチ１２２，１２３に対して操作されているが開扉スイッチ１２２，１２３が起動していないために開扉スイッチ１２２，１２３に対する入力操作を受け付けていない非受け付け時間を示している。そして、第１時間Ｔ１（Ｔ１ｂ）及び第２時間Ｔ２（Ｔ２ｂ）は、図１１に示す第１時間Ｔ１（Ｔ１ａ）及び第２時間Ｔ２（Ｔ２ａ）よりも非受け付け時間Ｔｄ（例えば４秒）分だけ小さい時間となっている。
【００４５】
図１４は、図２に示す冷蔵庫１ｂの第３の実施形態に係る制御構成による制御動作の流れの一例を示すフローチャートである。図１４に示す制御例では、図１２に示すＳ３０１ａ〜Ｓ３０３ａの処理以外は図１２に示す制御例と同じである。図１４に示す制御例では、冷蔵室扉２１３が開いているときには（Ｓ３００）、開扉スイッチ１２２，１２３に対して給電がされておらず、扉開放装置３０による開扉動作が行われない。このとき、使用者により冷蔵室扉２１３が閉操作されることで冷蔵室扉２１３が給電可能範囲内及び無線通信範囲内に入ると、開扉スイッチ１２２，１２３に対する給電及び通信を開始する（Ｓ３０１ｂ）。そうすると、制御部２０ｂは、開扉スイッチ１２２，１２３に対して給電及び通信を開始して起動する（Ｓ３０２ｂ）。そして、制御部２０ｂは、開扉スイッチ１２２，１２３に対するタッチ入力操作を受け付けているか否かを判断する（Ｓ３０３）。これ以降は、図１２に示す制御動作と同じであり、説明を省略する。
【００４６】
このように、無線給電方式の構造においても、特定の第１入力操作により開扉動作を許可する一方、特定の第２入力操作により開扉動作の禁止を維持することができる。
【００４７】
＜第４の実施形態＞
図１５は、図１に示す冷蔵庫１ａの第４の実施形態に係るシステム構成を示す概略ブロック図である。図１に示す冷蔵庫１ａは、冷蔵室扉３１、冷凍室扉４１，５１，５２の開閉を検知する扉開閉検知部として作用する扉開閉検知スイッチ１３５，１３６，１３７，１３８をさらに備えている。扉開閉検知スイッチ１３５，１３６，１３７，１３８は、制御部２０ａの入力系に電気的に接続されている。制御部２０ａは、冷蔵室扉３１、冷凍室扉４１，５１，５２の開閉を検出することができる。
【００４８】
ところで、図１に示す冷蔵庫１ａでは、使用者は、冷蔵室扉２１１，２１２，３１、冷凍室扉４１，５１，５２が閉じているときに冷蔵室扉２１１，２１２，３１、冷凍室扉４１，５１，５２の閉扉状態に関連する表示の確認、及び／又は、設定を行うことができる。閉扉状態に関連する表示及び／又は設定としては、例えば、節電、イオン発生、製氷、冷凍、温度等の表示及び／又は設定を挙げることができる。一方、使用者は、冷蔵室扉２１１，２１２，３１、冷凍室扉４１，５１，５２が開いているときに冷蔵室扉２１１，２１２，３１、冷凍室扉４１，５１，５２の開扉状態に関連する表示の確認、及び／又は、設定を行いたいこともある。開扉状態に関連する表示及び／又は設定としては、例えば、所定時間を超えた開扉時の報知有無、報知音解除、開扉場所、開扉時間、庫内の上昇温度等の表示及び／又は設定を挙げることができる。
【００４９】
図１６は、図１に示す冷蔵庫１ａの第４の実施形態に係る操作部１１０ａの開扉画面Ｇ３の一例を示す平面図である。
【００５０】
図１に示す冷蔵庫１ａでは、制御部２０ａは、冷蔵室扉２１１，２１２，３１、冷凍室扉４１，５１，５２の全てが閉じているときには、操作部１１０ａには冷蔵室扉２１１，２１２，３１、冷凍室扉４１，５１，５２の閉扉状態に関連する表示及び／又は設定を行うための入力操作画面Ｇ２（図７参照）を表示する。一方、制御部２０ａは、冷蔵室扉２１１，２１２，３１、冷凍室扉４１，５１，５２の少なくとも１つの扉が開いているときに操作スイッチ１２１を反応する状態にするが、操作部１１０ａには入力操作画面Ｇ２に代えて少なくとも１つの扉の開扉状態に関連する表示及び／又は設定を行うための開扉画面Ｇ３（図１６参照）を表示して操作スイッチ１２１に対する所定の入力操作に対応するコマンドの実行を禁止した状態にする。制御部２０ａは、操作スイッチ１２１に対する特定の入力操作（例えば長押し操作）を受け付けた場合には該特定の入力操作に対応するコマンドを実行して操作部１１０ａに図７に示す入力操作画面Ｇ２を表示し、操作部１１０ａに対する入力操作を許可する。こうすることで、制御部２０ａは、冷蔵室扉２１１，２１２，３１、冷凍室扉４１，５１，５２の少なくとも１つの扉が開いているときは、操作スイッチ１２１に対する特定の入力操作がなされない限り、操作部１１０ａには開扉画面Ｇ３を表示して操作部１１０ａへの図７に示す入力操作画面Ｇ２の表示を禁止し、操作部１１０ａに対する入力操作を禁止する。これにより、少なくとも１つの扉が開いているときに使用者が意図しないで入力操作画面Ｇ２の設定を行ってしまうことを回避することができる。一方、制御部２０ａは、少なくとも１つの扉が開いているときに操作部１１０ａに開扉画面Ｇ３を表示することで、少なくとも１つの扉が開いているときに開扉画面Ｇ３の表示及び／又は設定を行うことができる。従って、使用者への利便性を向上させることができる。
【００５１】
ここで、制御部２０ａは、開扉画面Ｇ３において、表示項目及び／又は設定項目の表示・非表示を使用者により選択可能となるように構成されていても良い。また、制御部２０ａは、閉扉時に動作している機能別に表示・非表示を使用者により設定変更可能となるように構成されていても良い。例えば、在庫リスト編集画面中は開扉画面Ｇ３を表示しない制御構成などを挙げることができる。また、制御部２０ａは、何れの扉が開いているかを判別して開扉画面Ｇ３に扉が開いている開扉時間を表示する。この場合において、制御部２０ａは、複数扉が開いている場合には、開いている扉をすべて開扉画面Ｇ３に表示することができる。また、制御部２０ａは、開扉画面Ｇ３において開扉検知で一定時間経過前に「報知しない」をタッチ入力操作すると、報知までのカウンタを停止する。若しくは、制御部２０ａは、報知カウンタの閾値の延長を設定変更可能となるように構成されている。例えば、制御部２０ａは、既定値では３０秒のところ５分に延長することができる。また、制御部２０ａは、開扉検知で一定時間経過後の報知音が鳴っているときに、「報知音解除」をタッチすると報知音を停止する。但し、制御部２０ａは、開扉中は閉扉まで表示している開扉時間のカウントアップを継続する。また、制御部２０ａは、開扉期間内で庫内が上昇した温度を表示することができる。また、制御部２０ａは、上昇した温度に対応する電力料金の上昇を示す表示を行うように構成されていても良い。これにより、使用者に省エネルギー意識を持たせることができる。
【００５２】
図１７は、図１に示す冷蔵庫１ａの第４の実施形態に係る制御構成による制御動作の流れの一例を示すフローチャートである。図１７に示す制御例では、制御部２０ａは、冷蔵室扉２１１が開いているときに（Ｓ４００）、操作部１１０ａに図１６に示す開扉画面Ｇ３を表示し（Ｓ４０１）、使用者により操作スイッチ１２１に対して長押し操作されたか否かを判断する（Ｓ４０２）。制御部２０ａは、長押し操作されていないと判断した場合には（Ｓ４０２：Ｎｏ）、Ｓ４０１に移行する一方、長押し操作されたと判断した場合には（Ｓ４０２：Ｙｅｓ）、操作部１１０ａに図７に示す入力操作画面Ｇ２を表示する（Ｓ４０３）。
【００５３】
（その他の実施の形態）
本実施の形態に係る冷蔵庫１ａ，１ｂは、例えば、対話型の冷蔵庫、特に、ＡＩとＩｏＴとを組み合わせて食材管理や献立相談等の機能を搭載した冷蔵庫として好適に適用することができる。また、有線給電方式の冷蔵庫１ａにおいて入力操作する扉は、観音開きのものであったが、片側開きのものであってもよい。本実施の形態において入力操作する扉は、上下方向に沿った支点軸線回りに回動するものであったが、水平方向に沿った支点軸線回りに回動するものであっても良いし、直線方向にスライドするものであっても良い。
【００５４】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００５５】
１ａ，１ｂ          冷蔵庫
１ｘ                冷蔵庫本体
２０ａ，２０ｂ      制御部
３０                扉開放装置
１１０ａ，１１０ｂ  操作部
１１１              表示部
１２１              操作スイッチ
１２２，１２３      開扉スイッチ
１３１〜１３８      扉開閉検知スイッチ
２１１〜２１３      冷蔵室扉（扉の一例）
３１０              無接点給電装置
３２０              無線通信装置
Ｇ１ａ，Ｇ１ｂ      非入力操作画面
Ｇ２                入力操作画面
Ｇ３                開扉画面
Ｐ１                第１入力操作
Ｐ２                第２入力操作
Ｑ                  給電開始タイミング
Ｒ                  受け付けタイミング
Ｔ１                第１時間
Ｔ２                第２時間
Ｔｓ                起動時間
Ｔｄ                非受け付け時間
【図１】
2019049366.tif 000003
【図２】
2019049366.tif 000004
【図３】
2019049366.tif 000005
【図４】
2019049366.tif 000006
【図５】
2019049366.tif 000007
【図６】
2019049366.tif 000008
【図７】
2019049366.tif 000009
【図８】
2019049366.tif 000010
【図９】
2019049366.tif 000011
【図１０】
2019049366.tif 000012
【図１１】
2019049366.tif 000013
【図１２】
2019049366.tif 000014
【図１３】
2019049366.tif 000015
【図１４】
2019049366.tif 000016
【図１５】
2019049366.tif 000017
【図１６】
2019049366.tif 000018
【図１７】
2019049366.tif 000019